(57)【要約】【課題】  ＩＣタグを装着した包装体により包装された同一品種の商品を同一方向に多数吊り下げ陳列したときの読取装置からのアクセスを容易にする商品に対するＩＣタグの装着方法を提供する。【解決手段】  陳列棚のフックに吊り下げて多数の商品を陳列棚の奥行き方向に吊り下げ陳列したとき、包装体の奥行き方向に向く面にＩＣタグ１を装着する。ＩＣタグ１のアンテナ面が同一線上で重なり合わないので、電磁波の干渉がなく読取装置による情報の読み取りが容易になる。【選択図】  図１
2006340792.tif 000002
【特許請求の範囲】
【請求項１】
比較的小型の商品を包装する包装体の一部に、販売拠点において陳列棚の奥行き方向に延長するように配設された吊り下げフックに同一品種のものを奥行き方向に多数吊り下げて陳列するための吊り下げ穴が設けられ、この包装体の前記吊り下げフックに吊り下げられたとき奥行き方向にある面に少なくともアンテナ部分を取り付けて包装体にＩＣタグが装着されてなることを特徴とする商品に対するＩＣタグの装着方法。
【請求項２】
比較的小型の商品を包装する包装体の一部に、販売拠点において陳列棚の奥行き方向に延長するように配設された吊り下げフックに同一品種のものを奥行き方向に多数吊り下げて陳列するための吊り下げ穴が設けられ、この包装体に装着したＩＣタグ又はそのアンテナ部分が包装体のランダム位置に取り付けられてなることを特徴とする商品に対するＩＣタグの装着方法。
【請求項３】
包装体は、樹脂製又は紙製の台紙上に配した商品を、透明樹脂シートに形成した凹部内に包み込み、透明樹脂シートを台紙に接合したブリスターパックである請求項１又は２に記載の商品に対するＩＣタグの装着方法。
【請求項４】
透明樹脂シートに形成された凹部の側周面にＩＣタグ又はそのアンテナ部分が取り付けられてなる請求項１〜３いずれか一項に記載の商品に対するＩＣタグの装着方法。
【発明の詳細な説明】
【技術分野】
【０００１】
本発明は、商品を包装した包装体にＩＣタグを装着して商品の管理、販売の管理等に供する商品に対するＩＣタグの装着方法に関するものである。
【背景技術】
【０００２】
販売拠点において比較的小型の商品を陳列する手段として、陳列台に設けられたフックに吊り下げて商品を列設する販売陳列形式が広く採用されている。その吊り下げ陳列に用いる商品の包装形態としてブリスターパックが好適であり、吊り下げ陳列する商品包装の大多数に採用されている。吊り下げ陳列では、同一品種の商品が陳列台の奥行き方向に延長された棒状のフックに列設されている。
【０００３】
一方、販売拠点においては、陳列数や欠品について日々のチェックが不可欠であり、その労を削減するために包装商品個々にＩＣタグを装着する方向に進展している。このような包装商品に付与されるＩＣタグは、読取装置（リーダ）からの問い合わせ信号を含む電磁波を受信することにより作動して応答信号を読取装置に向けて送信するパッシブタグの形態に構成される。
【０００４】
ＩＣタグを付与した包装商品を吊り下げ陳列して、その陳列数を読取装置によって読み取る場合、多数の同一サイズの包装商品が同一方向に重なり合っているため、読取装置による問い合わせに対する各包装商品からの応答信号が互いに干渉し、通信感度が低下して読取装置による応答信号の読み取りができない場合が生じる。
【０００５】
このように多数の包装商品に対する混信を防止するＩＣタグ及びその検知システムが知られている（特許文献１参照）。この検知システムでは、電池電源を有するＩＣタグに時刻を計る計時手段を設け、所定時刻毎に検知装置に向けて送信する。多数の商品に取り付けられたＩＣタグは、互いに設定時刻が異なるものを複数個備え、検知装置は設定時刻毎にＩＣタグから送信された信号を受信する。従って、多数の商品にそれぞれ取り付けられたＩＣタグと同時に送受信することによる混信の発生が防止できるとしている。
【特許文献１】特開２０００−１１３１３０号公報
【発明の開示】
【発明が解決しようとする課題】
【０００６】
上記従来技術に適用するＩＣタグは、電池電源を有するアクティブタグの形態であり、計時手段を設けた特殊なＩＣタグに構成する必要がある。即ち、汎用的な構成で大量生産されることにより低コストに製造され、安価な商品個々に取り付ける用に供することはできない。また、電池電源を備えたアクティブタグはパッシブタグに比して大型化しコストも高くなるので、安価な商品や小型の商品に適用するには難があり、電池の消耗を考慮する必要がある。
【０００７】
本発明の目的とするところは、汎用的なＩＣタグを包装商品個々に装着し、その包装商品を多数陳列しても読取装置がＩＣタグからの応答信号を正確に読み取ることが可能な商品に対するＩＣタグの装着方法を提供することにある。
【課題を解決するための手段】
【０００８】
上記目的を達成するための本願第１発明に係る商品に対するＩＣタグの装着方法は、比較的小型の商品を包装する包装体の一部に、販売拠点において陳列棚の奥行き方向に延長するように配設された吊り下げフックに同一品種のものを奥行き方向に多数吊り下げて陳列するための吊り下げ穴が設けられ、この包装体の前記吊り下げフックに吊り下げられたとき奥行き方向にある面に少なくともアンテナ部分を取り付けて包装体にＩＣタグが装着されてなることを特徴とする。
【０００９】
上記ＩＣタグの装着方法によれば、多数の商品が陳列棚の奥行き方向に重なり合った状態に吊り下げ陳列され、その状態が隣り合う商品間で僅かな隙間を隔てて配置されていても、ＩＣタグのアンテナ部分は包装体の奥行き方向の面に取り付けられているので、アンテナ面が重なり合うことがなく、多数の商品それぞれに装着されたＩＣタグに対して読取装置からアクセスするための電磁波に干渉が生じ難く、通信感度が低下して読取装置による応答信号の読み取りができなくなることが防止できる。
【００１０】
また、本願第２発明に係る商品に対するＩＣタグの装着方法は、比較的小型の商品を包装する包装体の一部に、販売拠点において陳列棚の奥行き方向に延長するように配設された吊り下げフックに同一品種のものを奥行き方向に多数吊り下げて陳列するための吊り下げ穴が設けられ、この包装体に装着したＩＣタグ又はそのアンテナ部分が包装体のランダム位置に取り付けられてなることを特徴とする。
【００１１】
上記ＩＣタグの装着方法によれば、多数の商品が陳列棚の奥行き方向に重なり合った状態に吊り下げ陳列され、その状態が隣り合う商品間で僅かな隙間を隔てて配置されていても、ＩＣタグ又はそのアンテナ部分は包装体のランダム位置に取り付けられているので、アンテナ面が重なり合うことがなく、多数の商品それぞれに装着されたＩＣタグに対して読取装置からアクセスするための電磁波に干渉が生じ難く、通信感度が低下して読取装置による応答信号の読み取りができなくなることが防止できる。
【００１２】
上記第１及び第２の各発明において、包装体は、樹脂製又は紙製の台紙上に配した商品を、透明樹脂シートに形成した凹部内に包み込み、透明樹脂シートを台紙に接合したブリスターパックに適用するのが好適で、透明樹脂シートの凹部を形成している側周面は奥行き方向から正面寄りに傾斜していることが多いので、その凹部の側周面にＩＣタグ又はそのアンテナ部分を取り付けることにより、読取装置からのアクセスはより確実となる。
【発明の効果】
【００１３】
本発明によれば、多数の商品が陳列棚の奥行き方向に重なり合った状態に吊り下げ陳列され、その状態が隣り合う商品間で僅かな隙間を隔てて配置されていても、ＩＣタグのアンテナ面が重なり合うことがなく、多数の商品それぞれに装着されたＩＣタグに対して読取装置からアクセスするための電磁波に干渉が生じ難く、通信感度が低下して読取装置による応答信号の読み取りができなくなることが防止できる。
【発明を実施するための最良の形態】
【００１４】
図１は、本発明の第１の実施形態に係るブリスターパックＡを示すもので、透明樹脂シート２に真空成形等の成形手段によって形成された凹部２ａ内に商品１０を収容し、透明樹脂シート２の周辺部を台紙３に接合して構成されている。前記台紙３には吊り下げ穴３ａが形成されているので、図２に示すように、陳列棚の奥行き方向に配設されたフック１１に吊り下げ穴３ａを通して同一品種の商品１０を陳列棚の奥行き方向に多数列設して陳列販売するのに適した包装形態としている。このブリスターパックＡの前記凹部２ａの内側面にはＩＣタグ１が貼着され、販売、欠品、在庫管理等に必要な情報が記録されている。
【００１５】
ブリスターパックは、比較的小型の商品を陳列販売するのに適しており、購買者は透明樹脂シート２を透かして商品１０を確認することができ、台紙３上に説明やコマーシャルスペースを多く確保することもでき、吊り下げ陳列により陳列棚に多種多様で多数の商品を立体的に効率よく陳列することができる。
【００１６】
このブリスターパックＡでは、前記ＩＣタグ１を凹部２ａの側面、即ち、図２に示すように吊り下げ陳列されたとき陳列棚の奥行き方向となる面にＩＣタグ１を装着している。図２に示す状態では、ＩＣタグ１の貼着位置は凹部２ａの上側面となっているが、左右側面あるいは下側面であってもよい。吊り下げ陳列は限られたスペースにより多くの商品を陳列できるように、両隣にも他の商品のブリスターパックが僅かな隙間を隔てて陳列されるので、読取装置からブリスターパックＡにアクセスしてＩＣタグ１に記録された情報を読み取るとき、読取装置を奥まで差し込むことができないため正面からアクセスすると、複数のブリスターパックＡと送受信を行う電磁波に干渉が生じて情報の読み出しができなくなる場合が多くなるが、本構成のように透明樹脂シート２の凹部２ａの側周面にＩＣタグ１が存在すると、電磁波の干渉を少なくして正面からのアクセスが可能となる。
【００１７】
図３は、ＩＣタグ１の一例を示すもので、フィルム５にスクリーン印刷、蒸着等の手段によってコイル状にアンテナ６を形成し、このアンテナ６にメモリや制御回路等を構成したＩＣチップ７を接続してシート状に形成されている。このＩＣタグ１のアンテナ６が形成されたシート面が台紙３の面上にあると、吊り下げ陳列されて多数のブリスターパックＡが重なり合っていると、各ブリスターパックＡのアンテナ６面が同一線上で同一方向に重なり合うので、読取装置からのアクセスに応答してアンテナ６から出力される電磁波が互いに干渉し合って読取装置による受信感度の低下となる。本構成のようにアンテナ６の面が凹部２ａの側周面にあると、多数のブリスターパックＡが重なり合っている状態でもアンテナ６の面は重なり合わず、干渉が生じ難いので読取装置とのアクセスが正常になされる。
【００１８】
図４は、本発明の第２の実施形態に係るブリスターパックＢの構成を示すもので、ＩＣタグ１の貼着位置によってＢ1，Ｂ2，Ｂ3，Ｂ4…のように区別している。このように同一品種の商品を包装したブリスターパックＢであっても、ＩＣタグ１の貼着位置が異なっていることにより、図２に示したように同一方向に重ねて吊り下げても同一線上に各ブリスターパックＢのＩＣタグ１が重なる度合いが少なくなり、各ブリスターパックＢのＩＣタグ１の干渉による通信の不具合の発生は緩和される。
【００１９】
図４に示すＩＣタグ１の貼着位置は、透明樹脂シート２上で周辺部や凹部２ａ上などに変化させているが、透明樹脂シート２の周辺部上での貼着位置をランダムに変更してもよく、貼着装置による貼着動作を簡易に構成することができる。また、台紙３にＩＣタグ１をランダム位置に貼着することもできる。
【産業上の利用可能性】
【００２０】
以上の説明の通り本発明によれば、多数の商品が陳列棚の奥行き方向に重なり合った状態に吊り下げ陳列され、その状態が隣り合う商品間で僅かな隙間を隔てて配置されていても、ＩＣタグのアンテナ面が重なり合うことがなく、多数の商品それぞれに装着されたＩＣタグに対して読取装置からアクセスするための電磁波に干渉が生じ難く、通信感度が低下して読取装置による応答信号の読み取りができなくなることが防止できる。
【図面の簡単な説明】
【００２１】
【図１】第１の実施形態に係るブリスターパックの構成を示す斜視図。
【図２】同上ブリスターパックを吊り下げ陳列した状態を示す斜視図。
【図３】ＩＣタグの構成例を示す平面図。
【図４】第２の実施形態に係るブリスターパックの構成を示す斜視図。
【符号の説明】
【００２２】
１  ＩＣタグ
２  透明樹脂シート
２ａ  凹部
３  台紙
３ａ  吊り下げ穴
６  アンテナ
７  ＩＣチップ
１０  商品
Ａ，Ｂ  ブリスターパック
【図１】
2006340792.tif 000003
【図２】
2006340792.tif 000004
【図３】
2006340792.tif 000005
【図４】
2006340792.tif 000006